(57)【要約】【課題】プリント処理の対価が決済カードの決済可能額を超えている場合でも、その決済カードによる決済を一部利用しながら、対価の決済を実現する。【解決手段】プリント処理の対価が決済カードＣａ、Ｃｂの決済可能額を超えた場合には、その決済カードＣａ、Ｃｂと他の決済手段との組み合わせた決済が可能であることを液晶ディスプレイ２に表示し、顧客が選択した決済手段との組み合わせによって決済を実現する決済処理手段２３を備えた。【選択図】図２
2008033757.tif 000002
【特許請求の範囲】
【請求項１】
メディアに記録された画像データを取得する画像データ取得部と、顧客の指示に基づいてプリント処理に必要なオーダデータを取得するオーダデータ取得部と、このオーダデータ取得部で取得したオーダデータに基づきプリント媒体に対して前記画像データのプリント処理を行うプリント処理部と、このプリント処理の対価の決済を実現する課金管理部を備えているセルフ写真プリント装置であって、
決済カードの情報を取得するカード情報取得部を備え、前記課金管理部は、前記カード情報取得部で取得した前記決済カードの情報に基づいて前記プリント処理の対価のカード決済を行う決済処理手段を備えており、
この決済処理手段は、前記プリント処理の対価が前記決済カードに設定されている決済可能額を超えたことを判別した場合には、前記カード決済と、他の決済手段による決済を組み合わせた複合決済処理により、対価の決済を実現するセルフ写真プリント装置。
【請求項２】
前記決済処理手段は、前記オーダデータ取得部においてオーダデータを取得した後に、このオーダデータに対応したプリント処理の対価と、前記決済カードの決済可能額との比較を行い、前記複合決済処理を行う際には、組み合わせ可能な前記他の決済手段を顧客に示す報知処理を行うと共に、前記カード決済での決済額と、前記他の決済手段で決済される決済額とを、顧客の操作で設定する選択処理を行う請求項１記載のセルフ写真プリント装置。
【請求項３】
前記決済処理手段の選択処理において、前記決済カードによる決済額と、他の決済手段による決済額との組み合わせを顧客に複数種示し、この複数種の決済の組み合わせの中から選択を行えるように処理形態を設定している請求項２記載のセルフ写真プリント装置。
【請求項４】
前記画像データ取得部で取得した画像データを表示するディスプレイを備えると共に、前記決済処理手段は、前記報知処理による情報を前記ディスプレイに表示する請求項２又は３記載のセルフ写真プリント装置。
【請求項５】
前記カード情報取得部が、複数種の決済カードの情報を取得するように構成され、前記決済処理手段は、前記複合決済処理における他の決済手段として、複数種の決済カードによる対価のカード決済を選択する請求項１〜４のいずれか１項に記載のセルフ写真プリント装置。
【請求項６】
投入された貨幣の額を取得する貨幣取得部を備え、前記決済処理手段は、前記複合決済処理における他の決済手段として、この貨幣取得部によって前記プリント処理の対価の現金決済を選択する請求項１〜５のいずれか１項に記載のセルフ写真プリント装置。
【発明の詳細な説明】
【技術分野】
【０００１】
本発明は、メディアに記録された画像データを取得する画像データ取得部と、顧客の指示に基づいてプリント処理に必要なオーダデータを取得するオーダデータ取得部と、このオーダデータ取得部で取得したオーダデータに基づきプリント媒体に対して前記画像データのプリント処理を行うプリント処理部と、このプリント処理の対価の決済を実現する課金管理部を備えているセルフ写真プリント装置に関する。
【背景技術】
【０００２】
上記のように構成されセルフ写真プリント装置と類似するものとして、特許文献１〜特許文献３に示されるものが存在する。
【０００３】
特許文献１は、顧客がデジタルカメラで撮影した画像情報を受付け、この画像情報を表示部に表示し、このように表示された画像情報からプリントとして必要なものを顧客が選択し、更に、プリントの使用目的（「高品位プリント」「クイックプリント」「証明写真（プリント）」「アルバム作成（プリント）」など）が処理メニューとして選択可能に表示され、この表示に従って顧客が選択した使用目的に応じた画像処理が実行され、この後、表示部に料金が表示されるので、この表示に沿って紙幣投入口あるいは硬貨投入口に投入を行うことで、投入金額が判定され、釣り銭の払い出しが必要である場合には、釣り銭が釣り銭放出口に放出され、プリント処理が実行される。このようなセルフ写真プリント装置は、無人で営業できるために、営業人件費が抑制されることや、２４時間営業が可能であるという多くの利点をもっている。
【０００４】
特許文献２は、メインメニュー画面において、サービスの利用に対する課金の種類（コインラック、Felicaカード、Debitカードの何れであるかの種類）を顧客が選択した後に、サービスとしてコピーを選択した場合には印刷枚数や用紙サイズ、あるいは、モノクロ、カラーの何れであるかに基づいて課金金額を計算するように処理形態が設定されている。また、サービスとしてＦＡＸを選択した場合にも同様に課金金額を計算し、この後にモジュールプログラムによって課金処理が実行される。この課金処理では、複数の課金装置のうちの１つ又は複数により課金を実行することが可能であり、複数種の課金の残金を残金表示画面に表示することや、複数種の課金に優先順位を設定して、支払い順序選択画面に表示し、これらの表示に基づいて、課金を選択することや、課金の優先順位を設定することも可能である。
【０００５】
特許文献３は、コインベンダーに投入された金員（現金）の額と、カードリーダ・ライタにセットされたカードの金員の額との合計額が、情報記憶部に記憶される。印字（コピー）処理時においてコピー料金が算出され、情報記憶部に記憶されている合計額を更新（減ずる）処理が行われ、この合計額が印字可能最低額以上である限り印字が可能となり、料金が不足する場合には、金員の投入を求めるメッセージが表示される。そして、印字が終了した場合において、返却ボタンが操作された場合には、現金で返却可能な金員が返却される。
【０００６】
【特許文献１】特開２０００−００６４９０号公報  （段落番号〔００２０〕〜〔００３３〕、〔００５１〕〜〔００５８〕、図２、図４、図５）
【特許文献２】特開２００６‐０７２４５１号公報  （段落番号〔００３２〕〜〔００４５〕、図１〜図９）
【特許文献３】特開２００５−１０８０５９号公報  （段落番号〔００１３〕〜〔００２４〕、図１〜図３）
【発明の開示】
【発明が解決しようとする課題】
【０００７】
上記のように構成されたセルフ写真プリント装置において、顧客がクレジットカードやプリペイドカード等のカード類（以下、決済カードと称する）を用いてプリント代金（プリント処理の対価）を決済することも考えられる。クレジットカードは、少額決済の場合にはサインレスであるが、支払い額が設定された上限を超える場合にはサインを必要とするものもある。また、プリペイドカードではカードの残金が決済可能な金額となる。
【０００８】
尚、クレジットカード、プリペイドカードの何れも非接触ＩＣカード化されたものが開発されつつあり、このように非接触ＩＣカード化されたものでは、決済カードをリーダ・ライタに接近させるだけで、短時間のうちに決済カードとリーダ・ライタとの間で情報の読み書きが行われ、決済が実現する。
【０００９】
しかしながら、セルフ写真プリント装置で顧客がプリント処理を行い、決済カードでプリント処理の対価を支払う際に、プリント処理に支払うべき対価（金額）が、決済カードの決済可能な金額を超える場合も考えられる。このような状況について、特許文献２では画面の表示に基づいて顧客が支払い方法を選択することにより対応することも可能であるが、顧客が自ら操作を行うことにより支払い手段を変更する操作が必要となり、また、特許文献３では、現金と決済カードとの複数の支払い方法を活用するものであるため、何れの文献の技術でも手間の面において改善の余地がある。また、支払い手段を変更した場合には、顧客が最初に支払いに利用しようとした決済カードを使用しないことになり不合理な面がある。
【００１０】
本発明の目的は、プリント処理の対価が決済カードの決済可能額を超えた場合には、その決済カードによる決済を活かしながら、決済を実現する点にある。
【課題を解決するための手段】
【００１１】
本発明の特徴は、メディアに記録された画像データを取得する画像データ取得部と、顧客の指示に基づいてプリント処理に必要なオーダデータを取得するオーダデータ取得部と、このオーダデータ取得部で取得したオーダデータに基づきプリント媒体に対して前記画像データのプリント処理を行うプリント処理部と、このプリント処理の対価の決済を実現する課金管理部を備えているセルフ写真プリント装置において、
決済カードの情報を取得するカード情報取得部を備え、前記課金管理部は、前記カード情報取得部で取得した前記決済カードの情報に基づいて前記プリント処理の対価のカード決済を行う決済処理手段を備えており、
この決済処理手段は、前記プリント処理の対価が前記決済カードに設定されている決済可能額を超えたことを判別した場合には、前記カード決済と、他の決済手段による決済を組み合わせた複合決済処理により、対価の決済を実現する点にある。
【００１２】
この構成により、プリント処理の対価を決済カードで決済する際に、プリント処理の対価が決済カードの決済可能額を超えていることを判別した際には、決済処理手段が、カード決済と、他の決済手段による決済とを組み合わせた複合決済処理を行うことにより、対価の決済が実現する。具体的には、決済カードとしてのクレジットカードではサインレスで決済可能な額（決済可能額）が設定されることがあり、この種のクレジットカードを使用する際に、プリント処理の対価が決済可能額を超えることも考えられる。また、決済カードとしてのプリペイドカードを使用する際に、プリント処理の対価が、プリペイドカードで決済可能な額（決済可能額・残金）を超えることも考えられる。このような場合には、複合決済処理が実行されることにより、この決済カードでの決済と、例えば、現金での決済とを組み合わせた決済によりプリントの対価の決済が実現する。その結果、プリント処理の対価が決済カードの決済可能額を超えた場合でも、その決済カードによる決済を活かしながら、他の決済手段（決済カードや現金）を併用した決済が実現する。
【００１３】
本発明は、前記決済処理手段は、前記オーダデータ取得部においてオーダデータを取得した後に、このオーダデータに対応したプリント処理の対価と、前記決済カードの決済可能額との比較を行い、前記複合決済処理を行う際には、組み合わせ可能な前記他の決済手段を顧客に示す報知処理を行うと共に、前記カード決済での決済額と、前記他の決済手段で決済される決済額とを、顧客の操作で設定する選択処理を行っても良い。
【００１４】
この構成により、オーダデータ取得部においてオーダデータを取得した後に、オーダデータに対応したプリント処理の対価と、決済カードの決済可能額との比較を行うことにより、処理の順序に無理がなく、しかも、複合決済処理を行う際には、組み合わせ可能な他の決済手段を顧客に示す報知処理を行い、この報知内容から選択を行えるので、顧客が決済可能な決済手段を選択することが可能となる。
【００１５】
本発明は、前記決済処理手段の選択処理において、前記決済カードによる決済額と、他の決済手段による決済額との組み合わせを顧客に複数示し、この複数種の決済の組み合わせの中から選択を行えるように処理形態を設定しても良い。
【００１６】
この構成により、複合決済処理を行う場合には、決済カードと、他の決済手段との組み合わせが複数示されるので、顧客は、この複数の組み合わせから選択する操作を行うだけで済み操作が簡便となる。
【００１７】
本発明は、前記画像データ取得部で取得した画像データを表示するディスプレイを備えると共に、前記決済処理手段は、前記報知処理による情報を前記ディスプレイに表示しても良い。
【００１８】
この構成により、ディスプレイの表示から、顧客が報知処理の内容を把握して容易な操作で必要な処理を実行できる。
【００１９】
本発明は、前記カード情報取得部が、複数種の決済カードの情報を取得するように構成され、前記決済処理手段は、前記複合決済処理における他の決済手段として、複数種の決済カードによる対価のカード決済を選択しても良い。
【００２０】
この構成により、決済カードとして、例えば、プリント処理の対価がプリペイドカードの残金を超えた場合や、プリント処理の対価がクレジットカードにおいてサインレスの決済の上限を超える場合には、他の決済カードを併せた決済が可能となる。
【００２１】
本発明は、投入された貨幣の額を取得する貨幣取得部を備え、前記決済処理手段は、前記複合決済処理における他の決済手段として、この貨幣取得部によって前記プリント処理の対価の現金決済を選択しても良い。
【００２２】
この構成により、決済カードとして、例えば、プリント処理の対価がプリペイドカードの残金を超えた場合や、プリント処理の対価がクレジットカードにおいてサインレスの決済の上限を超えた場合には、貨幣取得部で取得した貨幣とを併せた決済が可能となる。
【発明を実施するための最良の形態】
【００２３】
以下、本発明の実施形態を図面に基づいて説明する。
〔全体構成〕
図１に、本発明によるセルフ写真プリント装置として、プリントキオスク端末機が示されている。このプリントキオスク端末機は、ＤＰ店やコンビニエンスストア等の店頭に設置され、デジタルスチルカメラやカメラ付き携帯電話機やデジタルムービカメラのスチル撮影機能を利用して取得された撮影コマ画像データ（以下単に撮影コマ画像と略称するが、撮影コマ画像データによって可視化された画像自体も混乱を生じない範囲で撮影コマ画像と称する）に基づいて種々の形態の写真プリントを出力する機能や、撮影コマ画像を電子アルバム化してＤＶＤ−ＲやＣＤ−Ｒ等の記憶媒体に記憶する機能を有し、各種操作は顧客によるセルフサービスで行われる。
【００２４】
このプリントキオスク端末機は、上部に写真処理サービス受付部Ａを備え、下部のボックス状コンソールに課金決済部Ｂとプリント処理部Ｐを装備している。
【００２５】
前記写真処理サービス受付部Ａは、上部ハウジング１に液晶ディスプレイ２が備えられ、この液晶ディスプレイ２の表示面にはグラフィック化された操作画面に対して操作入力を行うためのタッチパネル２Ｔが備えられている。
【００２６】
上部ハウジング１の前面には、コンパクトフラッシュ（商標）、ＳＤカード（商標）、メモリスティック（商標）等、主としてフラッシュメモリで成るメモリカードＭａから撮影コマ画像を取得する複数種のメディアドライブ３（画像データ取得部の一例）と、ＣＤ−ＲやＤＶＤ−Ｒ等のディスク型記録メディアＭｂからの撮影コマ画像やＣＧ画像（この明細書ではＣＧ画像も人工的な撮影コマ画像と見なしており、撮影コマ画像にＣＧ画像も含めている）などを取得するディスクドライブ４（画像データ取得部の一例）と、レシートＲを発行するレシートプリンタ５とが備えられている。更に、上部ハウジング１の上面には、カメラ付き携帯電話機やデジタルカメラから直接撮影コマ画像の転送を可能にするＵＳＢ等のデータ伝送コネクタ６が備えられ、この上部ハウジングの内部には主制御ユニット３０が備えられている。尚、前記ディスクドライブ４は撮影コマ画像データをディスク型記録メディアＭｂに書き込んで記録するドライブとしても機能する。
【００２７】
課金決済部Ｂは、ボックス状コンソール１０の正面の硬貨投入孔１１に投入された硬貨を判別して判別結果を出力し、制御信号に基づいて下部の釣り銭払出口１２から釣り銭を払い出すコインメック１３と、ボックス状コンソール１０の正面の紙幣挿入孔１４に挿入された紙幣を判別して判別結果を出力するビルバリ１５と、カード挿入孔１６に挿入された接触式の決済カードＣａの情報を取得して出力し、必要な情報の書込を行う接触型リーダ・ライタ１７と、アンテナ部１８に対して接近させた非接触式の決済カードＣｂの情報を取得し、必要な情報の書き込を行う非接触型リーダ・ライタ１９とが備えられ、ボックス状コンソール１０の内部には、課金管理部として機能する課金決済ユニット２０が備えられている。尚、コインメック１３とビルバリ１５とで貨幣取得部が構成され、接触型リーダ・ライタ１７と非接触型リーダ・ライタ１９とでカード情報取得部が構成されている。
【００２８】
前記接触式の決済カードＣａと非接触式の決済カードＣｂとは、クレジットカード、プリペイドカード、電子マネー等、電気的な処理によって決済を可能にするカードの総称であり、接触式の決済カードＣａは、カードに形成した磁気データを読み取ることで情報の取得が可能となるものや、カードに形成した電極を介して情報の取得が可能となるものを指し、また、非接触式の決済カードＣｂは、アンテナとメモリと制御用のＩＣとを備えた構造のものであり（所謂、ＩＣカード）、アンテナを介して情報の取得が可能となる機能を具備している。
【００２９】
尚、本発明のプリントキオスク端末機では、接触式の決済カードＣａと非接触式の決済カードＣｂとの何れを使用してプリント処理の対価の決済を行う場合でも、顧客によるサインを必要としないサインレスによる決済を想定している。
【００３０】
前記プリント処理部Ｐは、前記ボックス状コンソール１０の内部に２台の昇華型プリンタユニット４０を備え、夫々の昇華型プリンタユニット４０において画像データがプリントされたペーパーＱ（プリント媒体の一例）を写真プリント取出口４１に集積して排出するように構成されている。
【００３１】
この写真プリント取出口４１には、横向き姿勢の軸芯周りでの揺動によって開閉自在で透明な板材で成る蓋体４２と、この蓋体４２を閉じ姿勢に維持するロック機構４３と、この写真プリント取出口４１の近傍位置においてメッセージを表示するメッセージ表示部４４を備えている。この蓋体４２と、ロック機構４３と、メッセージ表示部４４とは前記接触型リーダ・ライタ１７に挿入された接触式の決済カードＣａの取り忘れを防止するために機能する（制御形態は後述する）。
【００３２】
前記昇華型プリンタユニット４０は、異なるタイプの、例えば、ペーパーのシート幅や材質の異なるプリント媒体を装填することにより、異なるサイズや異なる表面仕上げの写真プリントをプリント媒体の交換なしで出力することができる。この昇華型プリンタユニット４０に採用されるその他のプリント方式としては、熱転写方式やインクジェット方式が挙げられるが、本発明は、特定のプリント方式を限定していない。また、プリンタユニット４０は、１台や３台以上で構成しても良い。
【００３３】
〔制御構成〕
このプリントキオスク端末機の制御系を図２に示している。写真プリント処理を含む装置全体を管理する主制御ユニット３０は、マイクロプロセッサ（ＣＰＵ）、前記液晶ディスプレイ２、タッチパネル２Ｔ、メディアドライブ３、ディスクドライブ４等の間で情報のアクセスを実現する入出力インタフェース（Ｉ／Ｏ）、及び、メモリ３１（ＲＡＭ／ＲＯＭ）とを備えると共に、汎用ＯＳ３２を搭載し、この汎用ＯＳ３２において管理されるプログラムで成る画像データ取得処理手段３３と、オーダデータ取得処理手段３４と、プリント出力処理手段３５と、ペーパー取出し制御手段３６と、メッセージ表示手段３７とを備えている。
【００３４】
前記画像データ取得処理手段３３は、前記メディアドライブ３、ディスクドライブ４、あるいは、データ伝送コネクタ６を介して撮影コマ画像を取得し、メモリ３１に保存する処理を実現する。前記オーダデータ取得処理手段３４は取得した撮影コマ画像を前記液晶ディスプレイ２に表示し、顧客がタッチパネル２Ｔに指を接触させる等の操作に基づいてプリント対象とする撮影コマ画像を特定し、プリントサイズ、プリント枚数等のオーダデータを取得する処理を実現する。前記プリント出力処理手段３５は、取得した撮影コマ画像データと、オーダデータとに基づいて前記プリンタユニット４０を制御することにより撮影コマ画像をペーパーＱにプリントする処理を実現する。
【００３５】
前記ペーパー取出し制御手段３６は、前記ロック機構４３を制御して前記蓋体４２の開放操作を制限することにより、前記写真プリント取出口４１からのペーパーＱの取り出しに先立って接触式の決済カードＣａの取り外しを行わせ、この決済カードＣａの取り忘れを防止するように機能する。前記メッセージ表示手段３７はプリント処理に必要なメッセージを液晶ディスプレイ２に表示する処理を行う。
【００３６】
プリント処理の対価の決済を現金や、決済カードＣａ、Ｃｂによって実現するための前記課金決済ユニット２０は、マイクロプロセッサ（ＣＰＵ）と、コインメック１３、ビルバリ１５等の間で情報のアクセスを実現する入出力インタフェース（Ｉ／Ｏ）とメモリ２１（ＲＡＭ／ＲＯＭ）とを備えると共に、汎用ＯＳ２２を搭載し、この汎用ＯＳ２２において管理されるプログラムで成る決済処理手段２３を備えている。
【００３７】
決済処理手段２３は、前記コインメック１３とビルバリ１５とによって現金による決済を実現する現金決済処理２３Ａと、前記接触型リーダ・ライタ１７あるいは非接触型リーダ・ライタ１９を使用することによってカードによる決済を実現するカード決済処理２３Ｂと、現金とカードとによる決済を実現する複合決済処理２３Ｃと、この複合決済処理２３Ｃを行う際に顧客の操作に基づいて決済の形態の選択を許す選択処理２３Ｄと、顧客に対して必要な情報を示す報知処理２３Ｅとを実現するプログラムで構成されている。
【００３８】
このプリントキオスク端末機では、前記主制御ユニット３０の入出力インタフェース（Ｉ／Ｏ）と、課金決済ユニット２０の入出力インタフェース（Ｉ／Ｏ）との間に通信経路Ｌを備えることにより、主制御ユニット３０と課金決済ユニット２０との間で必要な情報のアクセスを行えるように構成され、プリント処理を行う際には主制御ユニット３０と課金決済ユニット２０とが連係して処理を行う。
【００３９】
この制御系において、前記画像データ取得処理手段３３、オーダデータ取得処理手段３４、プリント出力処理手段３５、ペーパー取出し制御手段３６、メッセージ表示手段３７、決済処理手段２３夫々はソフトウエアで構成されるものであるが、ハードウエアで構成することや、ハードウエアとの組み合わせによって構成しても良い。
【００４０】
本発明のプリントキオスク端末機は、プリント処理の対価をカード決済する際に、プリント処理の対価が決済カードＣａ、Ｃｂを利用してサインレスで決済可能な決済可能額を超えた場合や、プリント処理の対価が決済カードＣａ、Ｃｂの残金の額（決済可能額）を超えた場合には、その決済カードＣａ、Ｃｂでの決済と、現金での決済を組み合わせること、あるいは、その決済カードＣａ、Ｃｂでの決済と、他の決済カードＣａ、Ｃｂでの決済を組み合わせることによる決済、つまり、前記複合決済処理２３Ｃによる決済を実現する点に特徴を有しており、これらの制御を以下に説明する。
【００４１】
〔受付処理〕
プリントキオスク端末機の制御形態の概要を図３のフローチャートに示している。つまり、顧客の操作がない状態においては前記液晶ディスプレイ２に初期画面が表示され（＃０１ステップ）。この状況において顧客がプリント処理を行う際には、タッチパネル２Ｔに表示されたボタン類を操作することにより、メモリカードＭａあるいはディスク型記録メディアＭｂをセットのセットを促すメッセージが液晶ディスプレイ２に表示され、この表示に従って顧客がメモリカードＭａをセットした場合には（ディスク型記録メディアＭｂをセットしても良い）、メモリカードＭａから撮影コマ画像データが取得され、この後に、オーダデータの取得が行われる（＃０２、＃０３ステップ）。
【００４２】
前記オーダデータとは、プリント対象とする撮影コマ画像データを特定するデータ、プリントサイズを特定するデータ、プリント枚数のデータ等プリント処理に必要なデータであり、前記液晶ディスプレイ２と、タッチパネル２Ｔと、この主制御ユニット３０と、オーダデータ取得処理手段３４とがオーダデータ取得部として機能する。
【００４３】
撮影コマ画像データの取得時にはメディアドライブ３にセットされたメモリカードＭａから複数の撮影コマ画像データを取得してメモリ３１に記録する単純な処理が行われる。また、オーダデータの取得時には、図５に示す「プリントサイズ選択画面」が液晶ディスプレイ２に表示される。この画面には「プリントサイズを選択して下さい」とのメッセージが表示され、また、画面下側に中止ボタン４８と、戻るボタン４９とが表示され、画面中央には「Ｌ版」や「２Ｌ版」等の複数のプリントサイズに対応した複数のサイズ指定ボタン５１が表示され、何れか１つのサイズ指定ボタン５１を操作することによって、次の処理に移行する。尚、この「プリントサイズ選択画面」には、プリントサイズを示す文字の他に、プリントサイズを示す数値と、プリントの単価と、プリントの基本料金とが表示される。
【００４４】
次の処理では、図６に示す「プリント枚数設定画面」が液晶ディスプレイ２に表示される。この画面には「プリント枚数を設定して下さい」とのメッセージが表示され、また、画面の中央には、メモリカードＭａ等から取得した複数の撮影コマ画像がサムネイル画像Ｓとして一覧化して表示されると共に、画面下側に中止ボタン４８と、戻るボタン４９と、次へボタン５２とが表示され、画面下側の中央位置に、オーダ情報と共にプリントに要する費用の額が情報エリアＤＥに表示される。
【００４５】
前記サムネイル画像Ｓのフレーム５４の上段に画像情報を特定するファイルの名称と、ファイルの種類を示す拡張子とが表示され、フレーム５４の下段にはプリント枚数を示す数値を表示する枚数表示エリア５５が表示され、この枚数表示エリア５５を挟む位置にプリント枚数を１枚ずつ増加させる＋ボタン５６と、プリント枚数を１枚ずつ減少させる−ボタン５６とが表示される。また、「プリント枚数設定画面」の下側には、前述したように中止ボタン４８と、戻るボタン４９と、次へボタン５２とが表示されると共に、情報エリアＤＥには、選択されたプリントサイズの情報、設定されたプリントの合計枚数、プリントに要する合計金額、ページを示す数字が、全てのプリント枚数を１枚ずつ増加させる全体＋ボタン５７と全てのプリント枚数を１枚ずつ減少させる全体−ボタン５７とが表示される。
【００４６】
この「プリント枚数設定画面」では８つのサムネイル画像Ｓを１ページとして表示し、表示順序として、画像の撮影日、あるいは、作成日が古いものを先に、新しいものを後にするよう設定されている。従って、「プリント枚数設定画面」の初期画面には最も古い画像情報から８つのサムネイル画像が表示される。そして、次へボタン５７を操作すると、次のページの８つのサムネイル画像の表示を行い、戻るボタン４９を操作すると、前の８つのサムネイル画像Ｓが表示される。そして、この次へボタン５２の操作に基づいてプリントすべき画像情報の選択を行った後に図７に示すように、次へボタン５２に代えて保存ボタンとして機能するＯＫボタン５０を操作することで、オーダデータが取り込まれ、次の処理に移行する。
【００４７】
このようにオーダデータを取得した後に、顧客を特定する情報を取得する処理が行われる（＃０４ステップ）。この処理では、図８に示す「名前入力画面」と、図９に示す「電話番号入力画面」が順次表示される。「名前入力画面」には、「名前を入力して下さい」とのメッセージが表示されると共に、名前表示部とキーボードとを有した入力ボード６３が表示され、キーボードに顧客が指を接触させる操作によって名前を入力した後にＯＫボタン５０を操作することにより、次に、「電話番号入力画面」が表示される。この画面には「電話番号を入力して下さい」とのメッセージが表示されると共に、電話番号表示部とキーボードとを有した入力ボード６４が表示され、キーボードに顧客が指を接触させる操作を行うことで電話番号を入力した後にＯＫボタン５０を操作することにより、顧客を特定する情報の取得が完了する。
【００４８】
次に、図１０に示す「注文内容確認画面」を液晶ディスプレイ２に表示し、この画面中に前述のように算出したプリント処理の対価を表示して確認を求め、確認の後には、図１１に示す「決済方法リスト画面」を液晶ディスプレイ２に表示して決済方法の選択を求める処理を行う（＃０５、＃０６ステップ）。
【００４９】
この「注文内容確認画面」には「注文の内容を確認して下さい」とのメッセージが表示され、顧客が該プリントキオスク端末機から入力したオーダデータの詳細と金額とを一覧化した確認シート６５が表示される。この表示内容に誤りがなければＯＫボタン５０を操作することで、図１１に示す「決済方法リスト画面」が表示される。この「決済方法リスト画面」には、プリント処理の対価の決済手段として、複数種のカード決済手段と現金決済とを選択可能に表示する。具体的には、クレジットカード表示部７１に該プリントキオスク端末機で使用可能なクレジットカードの一覧を表示し、プリペイドカード表示部７２に該プリントキオスク端末機で使用可能なプリペイドカードの一覧を表示し、現金決済ボタン７３を表示する。
【００５０】
このように「決済方法リスト画面」で決済手段を選択する際には、クレジットカード表示部７１に一覧化して表示された複数のクレジットカードの１つ、プリペイドカード表示部７２に一覧化して表示された複数のプリペイドジットカードの１つ、あるいは、現金決済ボタン７３に指を接触させて選択した後に、ＯＫボタン５０を操作する操作手順となる。尚、一覧の１つや現金決済ボタン７３を選択した場合には、同図においてハッチングで示したように選択部分を反転表示することや、選択部分を強調表示する等の表示形態が選択される。
【００５１】
また、「決済方法リスト画面」を表示する際には、先に取得している顧客を特定する情報から以前に決済カードを使用した顧客であることを判別した場合には、以前に使用された決済カードを選択状態にして液晶ディスプレイ２に表示する。この「決済方法リスト画面」で決済手段の選択を終えた後には、決済処理を実行する（＃０７、＃１００ステップ）。
【００５２】
図４のフローチャートに示すように、前記決済処理（＃１００ステップ）はサブルーチンの形態となる決済処理ルーチンとしてセット（前記決済処理手段２３による処理）されている。この決済処理ルーチンにおいて前記現金決済ボタン７３が選択されたことを判別した場合には現金決済処理２３Ａによる処理を実行する（＃１０１、＃１０２ステップ）。この現金決済処理２３Ａでは、コインメック１３、ビルバリ１５夫々に投入された硬貨、紙幣の金額がプリント処理の対価に達するまで継続的に行われ、釣り銭が必要である場合には、釣り銭が釣り銭払出口１２から払い出される。
【００５３】
また、決済方法として決済カードが選択された場合には、その決済カードの決済可能額を取得し、その決済可能額とプリント処理の対価とを比較し、決済可能であることを判別した場合には、カード決済処理２３Ｂによる処理が実行される（＃１０３〜１０６ステップ）。
【００５４】
この処理を行う際において、顧客が接触式の決済カードＣａを使用する場合には、接触型リーダ・ライタ１７のカード挿入孔１６に決済カードＣａを挿入することで済むが、顧客が非接触式の決済カードＣｂを使用する場合には、決済カードＣｂを非接触型リーダ・ライタ１９のアンテナ部１８に接近させる操作が必要となる。このような操作を行うことで、決済可能であることを判別した場合には、この操作時に決済が行われ、図１２に示す「処理完了画面」を表示することにより決済が終了したことが顧客に示される。
【００５５】
また、決済カードＣａ、Ｃｂでの決済が不能であると判別された場合には、図１３に示す「組み合せ決済画面」が液晶ディスプレイ２に表示されると共に、画面中に決済カードＣａ、Ｃｂでの決済では組み合わせにより決済可能となる決済手段の一覧がリスト表示領域７５に表示される（＃１０７ステップ・報知処理２３Ｅの一例）。このように画面に表示される決済手段はボタンとして機能するものであり、顧客が指を接触させることにより選択が可能でき、同図に示すように、現金での決済がデフォルトとして選択されている。
【００５６】
この処理において決済が不能であると判断する状況としては、たとえば、プリント処理の対価が決済カードＣａ、Ｃｂの残金を超えた場合や、プリント処理の対価がサインレスで決済可能な金額（決済可能額）を超えた場合が想定されている。
【００５７】
図１３に示す「組み合わせ決済画面」において組み合わせる決済手段が顧客によって選択され、ＯＫボタン５０が操作された後には、図１４に示す「決済額選択画面」が液晶ディスプレイ２に表示される。この処理では、前記「組み合わせ決済画面」において、例えば、決済カードＣａ、Ｃｂと現金との組み合わせが選択された場合には（選択処理２３Ｄの一例）、組み合わせ表示領域７６に表示された組み合わせを顧客が選択することにより、選択領域７７に組み合わせて決済する額が表示され、更に、任意の額を設定する場合には、任意設定ボタン７８を顧客が操作することにより、テンキーボード（図示せず）が液晶ディスプレイ２に表示され、そのテンキーボードを操作することにより任意の金額を入力することが可能となり、設定された金額が組み合わせ表示領域７６に表示され、この後、ＯＫボタン５０を操作することで複合決済処理２３Ｃが実行される（＃１０８〜＃１１０ステップ）。
【００５８】
このように「決済額選択画面」の組み合わせ表示領域７６に表示された組み合わせの金額を示す領域はボタンとして機能するものであり、顧客が指を接触させることにより選択でき、同図に示すように、１つの組み合わせを推奨するようにデフォルト状態で選択されている。尚、この推奨される組み合わせとは、決済カードＣａ、Ｃｂでの決済額を決済可能額に設定することで、他の決済手段による決済額を少なくしている。また、選択された組み合わせを選択領域７７に反映した状態での表示が行われている。
【００５９】
この複合決済処理２３Ｃを行う際において、顧客が接触式の決済カードＣａを使用する場合には、接触型リーダ・ライタ１７のカード挿入孔１６に決済カードＣａが挿入された状態にあるので、そのまま処理を継続して、現金の投入を待ち、適正な現金の投入があった後に、そのカードでの決済を行い、決済カードＣａをカード挿入孔１６から排出する処理を行うことになる。しかし、顧客が非接触式の決済カードＣｂを使用する場合には、決済カードＣｂを非接触型リーダ・ライタ１９のアンテナ部１８に再度、接近させる操作が必要となり、液晶ディスプレイ２には「カードをもう一度アンテナに接触させ、現金を投入して下さい」等のメッセージが表示され、顧客の支払いを終えた後に、前述したものと同様に「処理終了画面」が表示される。
【００６０】
尚、複合決済処理２３Ｃを行う際に、他の決済手段として接触式の決済カードＣａを使用することを顧客が選択した場合には、先に挿入した決済カードＣａでの決済が終了した後に、次の決済カードＣａをカード挿入孔１６に挿入する操作を必要となり、この操作手順による操作が必要であることを示すメッセージが液晶ディスプレイ２に表示される。
【００６１】
このように決済処理（＃１００ステップ）が終了した後には、レシートプリンタ５でレシートＲをプリントして排出し、プリンタユニット４０でのプリント処理を開始し、プリント処理を終えた後に、カード取り忘れ防止処理が行われる（＃０８〜＃１１ステップ）。
【００６２】
カード取り忘れ防止処理では、図１５に示す「プリント完了画面」を表示し、この画面に対して、例えば、「メモリカードとクレジットカードとを取り出して下さい」等のメッセージを表示すると同時に、メッセージ表示部４４に「カードを取り出して下さい」の文字が表示され、夫々が取り出されるまでロック機構４３により蓋体４２を閉じ姿勢にロックし、取り出されたことを確認した後に、ロック機構４３による蓋体４２のロックを解除して写真プリント取出口４１からペーパーＱの取り出しが許される。
【００６３】
尚、顧客が非接触式の決済カードＣｂを使用した場合には、「プリント完了画面」にはメモリカードを取り出して下さい」のメッセージが表示される。そして、液晶ディスプレイ２に対してメッセージを表示する処理は、前記メッセージ表示手段３７が実現する。
【００６４】
このように本発明では、プリントキオスク端末機において顧客がプリント処理を行う際に、プリント処理の対価の支払いを決済カードＣａ、Ｃｂで行う場合において、プリント処理の対価が、その決済カードＣａ、Ｃｂにおいてサインレスで決済可能な金額（決済可能額）を超えた場合や、プリント処理の対価が、その決済カードＣａ、Ｃｂの残金を超えた場合（決済カードＣａ、Ｃｂの決済可能額がプリント処理の対価未満である場合）には、その決済カードＣａ、Ｃｂと、例えば、現金（他の決済カードＣａ、Ｃｂでも良い）とを組み合わせた支払いを可能にすることにより、プリント処理の対価の決済の全額を現金で行う不都合を回避して、決済カードＣａ、Ｃｂでの決済と現金等での決済を併用を望む顧客の意志を尊重した決済を実現し、また、顧客がプリント処理を行う際にも、決済カードＣａ、Ｃｂの決済可能額を意識しないで済むものにしている。
【００６５】
特に、決済カードＣａ、Ｃｂと他の決済手段とを組み合わせて決済を行う際において、決済カードＣａ、Ｃｂでの決済額と、他の決済手段での決済額とを液晶ディスプレイ２に表示された組み合わせから選択することが可能であり、しかも、推奨する組み合わせを選択状態で表示するので、顧客の選択が容易に行え、表示された組み合わせ額を顧客が任意に変更したい場合にも、顧客が望む額を設定することも可能であり、顧客の要望に応えることが可能になる。
【００６６】
〔別実施形態〕
本発明は、上記した実施形態以外に以下のように構成しても良い。
【００６７】
（ａ）実施形態では、主制御ユニット３０と、課金決済ユニット２０とにマイクロプロセッサを備えた構成としていたが、単一のマイクロプロセッサを備えた処理系を備えてプリント処理と、課金処理とを行うように構成しても良い。
【００６８】
（ｂ）複合決済処理２３Ｃで処理を実行する際の処理形態として、現金と決済カードとを同時に選択することにより、先に顧客が使用するために選択した決済カードを含めて３つ以上の決済手段を選択できるように処理形態を設定しても良い。このように処理形態を設定する場合に、デフォルトとして３つ以上の決済手段を選択しても良い。
【００６９】
（ｃ）複合決済処理２３Ｃで処理を実行する際に、決済カードの決済可能額が、より高額に設定されているものがある場合、その決済カードの使用の可否を顧客に確認し、選択できるように処理形態を設定しても良い。
【００７０】
（ｄ）カード取り忘れ処理（＃１１ステップ）として、蓋体４２を閉じ姿勢に維持するロック機構４３を用いずに、写真プリント取出口４１に排出されたペーパーＱの上に、「カードを取り出して下さい」等の文字をプリントしたペーパーを１枚プリントして排出するようにプリント処理の処理形態を設定しても良い。
【００７１】
（ｅ）上述した実施形態の説明では、セルフ写真プリント装置としてプリントキオスク端末機の形態で説明したが、本発明はこの形態に限定されるわけではなく、サービス種の選択や処理対象となる撮影コマ画像の選択を行い、その料金を決済するまでのプロセスを行う場所と異なる場所で実際の写真プリントの出力プロセスを行い、出力された写真プリントを配送するような形態、つまり、プリント処理部Ｃが写真処理サービス受付部Ａや課金決済部Ｂとは独立した装置として構成される形態であってもよい。
【図面の簡単な説明】
【００７２】
【図１】プリントキオスク端末機を示す斜視図
【図２】プリントキオスク端末機の制御系を示すブロック図
【図３】セルフプリントのフローチャート
【図４】決済処理ルーチンのフローチャート
【図５】プリントサイズ選択画面を示す図
【図６】プリント枚数設定画面を示す図
【図７】プリント枚数設定画面を示す図
【図８】名前入力画面を示す図
【図９】電話番号入力画面を示す図
【図１０】注文内容確認画面を示す図
【図１１】決済方法リスト画面を示す図
【図１２】処理完了画面を示す図
【図１３】組み合わせ決済画面を示す図
【図１４】決済額選択画面を示す図
【図１５】プリント完了画面を示す図
【符号の説明】
【００７３】
２            ディスプレイ（液晶ディスプレイ）
３、４        画像データ取得部
１３、１５    貨幣取得部
１７、１８    カード情報取得部（リーダ・ライタ）
２０          課金管理部（課金決済ユニット）
２３          決済処理手段
２３Ｃ        複合決済処理
Ｃａ、Ｃｂ    決済カード
Ｍａ          メディア（メモリカード）
Ｑ            プリント媒体（ペーパー）
【図１】
2008033757.tif 000003
【図２】
2008033757.tif 000004
【図３】
2008033757.tif 000005
【図４】
2008033757.tif 000006
【図５】
2008033757.tif 000007
【図６】
2008033757.tif 000008
【図７】
2008033757.tif 000009
【図８】
2008033757.tif 000010
【図９】
2008033757.tif 000011
【図１０】
2008033757.tif 000012
【図１１】
2008033757.tif 000013
【図１２】
2008033757.tif 000014
【図１３】
2008033757.tif 000015
【図１４】
2008033757.tif 000016
【図１５】
2008033757.tif 000017